【手続補正書】
【提出日】平成16年8月31日(2004.8.31)
【手続補正１】
【補正対象書類名】明細書
【補正対象項目名】全文
【補正方法】変更
【補正の内容】
【書類名】明細書
【発明の名称】ボーダーシステム及びその施工方法
【特許請求の範囲】
【請求項１】所定間隔で複数の支持部を床面に敷設し、該支持部に支持される基本パネルが敷設される第１のステップと、該基本パネルと所定の境界面との間の残余空間に、所定のボーダー処理部材が該境界面に近接して敷設される第２のステップと、ボーダーパネルが、前記基本パネルの周縁に位置する支持部と前記ボーダー処理部材との間に架橋され、前記ボーダーパネルと前記支持部との係合が前記基本パネルと係合した構造でなされ、該ボーダーパネルと該ボーダー処理部材との係合が該基本パネルの周縁から該境界面へ向かう方向へなされ、前記ボーダーパネルの側面と該ボーダー処理部材との係合により、前記ボーダーパネルが、前記ボーダー処理部材の上面の任意位置に連続的に調整可能に、少なくともその一部分が支持面積となるように係合支持されることにより敷設される第３のステップと、を有することを特徴とするボーダーシステムの施工方法。
【請求項２】所定間隔で床面に敷設される複数の支持部と、前記支持部に支持され敷設される基本パネルと、前記敷設された基本パネルの周縁と所定の境界面との間の残余空間に、該境界面に近接して敷設されるボーダー処理部材と、前記基本パネルと前記ボーダー処理部材との間に敷設されるボーダーパネルと、を備え、前記ボーダー処理部材と前記ボーダーパネルは、敷設時に該ボーダーパネルの少なくとも１辺側が該ボーダー処理部材上面の少なくとも一部分の調整可能な任意面積で係合支持されるように形成され、該任意面積が所定の支持面積となるように敷設されると共に、該ボーダー処理部材の幅が該残余空間に応じて該所定の支持面積以上となる様な所定幅に設定されることを特徴とするボーダーシステム。
【請求項３】床面に配置された複数の支持部と、該支持部上に載置される基本パネルと、からなるパネルユニットと、前記パネルユニットと所定の境界面との間の残余空間に該境界面近傍に位置して敷設され、該境界面方向に延在して形成された係合部を備えると共に、該残余空間の幅より狭い所定幅のボーダー処理部材と、一端側が該パネルユニットに、他端側が該ボーダー処理部材に、それぞれ係合支持されて敷設されるボーダーパネルと、を有し、前記ボーダーパネルの他端側が前記係合部に係合され、該ボーダーパネルが、該ボーダー処理部材上面の少なくとも一部分の任意位置であって、調整可能に設定された所定の支持面積で支持されて敷設されることを特徴とするボーダーシステム。
【請求項４】配線経路が形成されるように床面に配置された複数の支持部と、該支持部上に支持され敷設される基本パネルと、前記敷設された該基本パネルと所定の境界面との間の残余空間に該境界面近傍に位置して敷設され、所定の係合部が設けられていると共に、該残余空間に応じて所定のマット幅に設定されているボーダー処理部材と、一端側が前記支持部に、他端側が前記係合部によりそれぞれ係合支持されて敷設され、所定のパネル幅に設定されたボーダーパネルと、を有し、前記ボーダーパネルは、前記残余空間に応じて設定された前記ボーダー処理部材のマット幅と予め設定された該ボーダーパネルのパネル幅とに基づいて、該ボーダー処理部材上面の少なくとも一部分に該境界面方向の任意位置に連続的に調整可能に載置され、所定の載置幅として載置幅＝所定のパネル幅＋所定幅−残余空間の幅を満足するように設定され、該ボーダーパネルの敷設がなされることを特徴とするボーダーシステム。
【請求項５】複数の支持部を所定間隔で床面に敷設すると共に、所定の基本パネルを該支持部に係合して載置し、該基本パネルを敷設する第１のステップと、敷設された該基本パネルの周縁と所定の境界面との間の残余空間に、ボーダーパネルの所定のパネル幅に基づいて、該ボーダーパネルが所定の載置幅で支持されるように、該残余空間より狭い所定の幅に設定されたボーダー処理部材を境界面に近接して敷設する第２のステップと、該ボーダーパネルを、その周縁に位置する支持部と、該ボーダー処理部材とに係合して、該ボーダー処理部材上面の少なくとも一部分に該境界面方向の任意位置に調整可能に載置し、該ボーダーパネルの所定の載置幅を所定のパネル幅＋所定幅−残余空間となる様に設定して該ボーダーパネルを敷設する第３のステップと、を有することを特徴とするボーダーシステムの施工方法。
【請求項６】複数の支持部を配線経路が形成されるように所定の間隔で床面に敷設すると共に、所定の基本パネルを該支持部に係合載置して敷設し、該基本パネルの敷設により、該基本パネルの周縁と所定の境界面との間に残余空間を形成する第１のステップと、所定のボーダーパネルの所定パネル幅に基づいて、該ボーダーパネルが所定載置幅で支持されるように、該残余空間より幅の狭い所定の幅のボーダー処理部材を設定する第２のステップと、前記残余空間内に、前記所定の幅に設定したボーダー処理部材を境界面に近接して敷設する第３ステップと、前記ボーダーパネルの支持部係合部を有する一端側を、該支持部係合部を前記基本パネルの周縁の支持部に係合して該支持部に載置すると共に、前記ボーダーパネルの支持部係合部を有しない他端側を、前記ボーダー処理部材上面に、前記境界面方向の任意位置に調整可能に係合して載置する第４のステップと、を有し、所定載置幅が所定のパネル幅＋所定幅−残余空間となるように設定された前記ボーダーパネルを、前記基本パネルの支持部とボーダー処理部材との間に架橋設置することを特徴とするボーダーシステムの施工方法。
【請求項７】所定間隔で床面に敷設され所定のパネル係合部を有する複数の支持部と、前記パネル係合部に係合する側面に形成された支持部係合部を有し、前記支持部上に支持され敷設される基本パネルと、所定の境界面近傍に敷設されるボーダー処理部材と、前記基本パネルの略周縁に位置する支持部と該ボーダー処理部材とに架橋設置され、該支持部と前記境界面との間の残余空間を覆うボーダーパネルと、を備え、前記ボーダー処理部材は、前記残余空間の幅よりも狭い所定幅に形成され、前記ボーダーパネルは、前記架橋される支持部側の一辺の側面両隅に前記基本パネルの支持部係合部と共通する支持部係合部を有し、且つ該一辺と対向する境界面側の一辺が支持部係合部を有しない開放状態に形成され、前記残余空間に応じて設置位置を調整されて、前記ボーダー処理部材上面の少なくとも一部分の任意面積で係合支持されることを特徴とするボーダーシステム。
【請求項８】複数の支持部を所定間隔で床面に敷設し、基本パネルを該支持部に係合載置して敷設する第１のステップと、上面にボーダーシートが設けられ脚体が連結されたボーダー処理部材を、該脚体連結箇所のうち所要の連結箇所で切断し、敷設した基本パネルの周縁と境界面との間の残余空間より幅が狭いボーダー処理部材を形成する第２のステップと、前記残余空間より幅が狭いボーダー処理部材を、境界面に近接して且つ該ボーダー処理部材の連結箇所が前記基本パネルの側面と対応する位置になるようにして、前記残余空間に敷設する第３のステップと、前記残余空間に敷設したボーダー処理部材のボーダーシートを、ボーダーパネルの載置箇所で載置幅に相当する分だけ除去する第４のステップと、３辺に下向きの側面が形成され１辺を開放状態とされている前記ボーダーパネルを、該１辺の開放側を境界面に向けて前記ボーダー処理部材の前記ボーダーシートの除去部分に載置し、且つ対向する２辺側面をそれぞれ前記敷設したボーダー処理部材の連結箇所に係合して、前記支持部と該ボーダー処理部材との間に架橋設置し、前記基本パネルとボーダーパネルとボーダーシートの上面を平らにする第５のステップと、を有することを特徴とするボーダーシステムの施工方法。
【発明の詳細な説明】
【０００１】
【発明の属する技術分野】
本発明は、床面に床パネルを敷設することで生ずる壁際や柱回り等の残余空間に対し、敷設床面に設置されるボーダー（端仕舞）システム及びその施工方法に関する。
【０００２】
【従来の技術】
近年、ＯＡフロアで広範囲に利用されているフリーアクセスフロアと称する二重床のニーズ、重要拡大に伴って、二重床の基本パネルの改良や開発が盛んとなり、大幅な進歩を遂げてきており、同時に二重床の設置に際し、基本パネルの敷設で生じる壁際や柱回り等の残余空間の処理に対しても、専用のボーダーパネルなるものが登場し、改良が加えられている。
【０００３】
このボーダーパネルは、基本パネルの敷設に際しては部屋の敷設面積や平面形態に応じて残余空間が多様に変化するために、これに柔軟に対応すべくボーダー処理専用に開発されたものである。即ち、残余空間を処理するにあたって基本パネルの構造をそのまま適用すると、現場の残余空間に応じて切断する必要が生ずることになり、また小さな残余間隙を埋めることも困難であって、非常に施工の手間を強いられることになるから、この種のボーダーパネルが必要とされることになる。
【０００４】
そして、現状に於いては、（１）スライド構造で処理するボーダー構造、（２）専用ボーダーカバーを用いて処理するボーダー構造、（３）異なるサイズのボーダーパネルを用いて処理するボーダー構造、（４）異なる構造のボーダーパネル及びカバーを用いて処理するボーダー構造、（５）施工や施工作業の順序を工夫して処理するボーダー構造等がある。
【０００５】
例えば（１）スライド構造で処理するボーダー構造としては、実開平１−１６８７４２のフリーアクセスフロア用調整パネル、実開平１−１７１８３７のフリーアクセスフロア用調整板、特開平３−３６３６１のボーダー床の施工方法等があり、基本パネル敷設後の残余空間に応じて、スライドして調整可能なスライドパネルによるものや金属板折り曲げリブ等を用いたもの、或いは上下パネル及びトップパネルを用いてスライド可能としたものがある。
【０００６】
また（２）専用ボーダーカバーを用いて処理するボーダー構造としては、特開平１０−１６９１７１や特開平１１−２８７０３３の二重床ボーダー部の施工方法などがあり、断面略Ｌ字状のボーダーカバーを備えたボーダー構造が開示されている。
【０００７】
また（３）異なるサイズのボーダーパネルを用いて処理するボーダー構造としては、特開平５−１８０９５の床面配線施工法等があり、複数の異なる面積を有する複数種類のボーダーパネルを用い、これらを組み合わせて敷設することでボーダー処理を行っている。
【０００８】
また（４）異なる構造のボーダーパネル及びカバーを用いて処理するボーダー構造としては、特開昭６３−４７４６０のフロアパネル装置、特開平６−２９９６８５のフロアパネル装置及びその施工方法、特開平１１−２２１６５のボーダー部材とボーダー構造、実開平５−９４４４６の二重床の端部仕舞構造、特開平８−１２０８９８の二重床のボーダー部の施工方法等があり、基本パネルとボーダーパネルとボーダーカバーを用い、これらを組み合わせて敷設することでボーダーを処理するボーダー構造がある。
【０００９】
また（５）施工や施工作業の順序を工夫して処理するボーダー構造としては、特開平１１−２２９５９３のボーダー構造及びその施工方法があり、基本パネルとボーダー部材とからなる構造を利用し、パネルの施工上の工夫をして処理するボーダー構造がある。
【００１０】
【発明が解決しようとする課題】
ところが上記（１）の技術はいずれもスライド構造を採用するため、残余空間に応じて自在に処理可能であるものの、スライド構造が複雑化してしまい、材料の選択を含め部品点数が多くなるという欠点があり、総合的にみれば施工に手間がかかり高コストのものである。
【００１１】
上記（２）の技術は略断面Ｌ字状カバーや、半筒状体、支持部等を組み合わせ、折り曲げ加工等により長尺状に形成される構造であるから、部品点数の増加、床面不陸の追従・吸収性が劣るという問題があり、更には金属鋼板を適用して曲げ加工を施す場合、強度上の観点からの厚さの選定やその加工が難しく、強度面でも信頼性に欠けるという問題がある。また強度を十分に満足させるためには、材料変更やパネル厚を上げること等が必要となるが、これはコストアップ要因となる。更に不陸に対応させる構造にするためには、スリット等の切り込みを設ける必要があり、加えてその際の材料や板厚の選定が難しく、高コストで設計が困難であるという欠点がある。
【００１２】
上記（３）の技術は複数の異なる面積を有する複数種類のボーダーパネルを準備しなければならず、部品点数の増加、製造コストの上昇、パネル数の増加によって施工上の手間がかかるという問題がある。
【００１３】
上記（４）の技術は異なる構造のボーダーパネル及びカバーを用いて処理するボーダー構造であるため、部品の種類が増加し、そのため施工上の迅速さに欠け、製造コストや施工コストが高くなるという欠点があった。
【００１４】
上記（５）の技術は部品の種類や部品点数の増加を抑えることは可能であるものの、残余空間の微調整ができる構造にすると、ボーダー部材のパネル嵌合構造が複雑になり、製造する際に成形が困難となり、更には施工に手間がかかるなどの懸念がある。
【００１５】
特にこの（５）の技術の係合構造では、所定間隔をあけて係合部が多数整列配置され、ボーダーの寸法調整がこの間隔毎のステップによってのみしか係合位置調整が行えないため、連続的な係合位置の微調整がきかず、柱回り・壁際には、ボーダーマットをぴったりと突き当てて敷設できない場合がある。また、ブロックの移動や送り出し、或いはブロックを一部追加する場合には、施工手順にも工夫をする必要が生じ、結局施工作業が煩雑化する不具合がある。
【００１６】
即ち、上記（１）〜（５）のようなボーダー構造では、種々のボーダー処理用の部材が用いられ、基本パネルの構造よりも構造が複雑化し、施工にも手間がかかるものであって、製造コストや施工コスト高くなる。そのため、ボーダーの残余空間を微調整して適切に処理できると共に、より簡単な構造で良好な施工性を有し、低コストなボーダー構造が切望されていた。
【００１７】
本発明は上記問題点に鑑みなされたものであって、ボーダー部の残余空間を微調整して埋設処理することが可能であると共に、より簡単な構造で良好な施工性を有し、且つ低コスト化を図ることができるボーダーシステム及びその施工方法を提供することを目的とする。
【００１８】
【課題を解決するための手段】
本発明のボーダーシステムの施工方法は、所定間隔で複数の支持部を床面に敷設し、該支持部に支持される基本パネルが敷設される第１のステップと、該基本パネルと所定の境界面との間の残余空間に、所定のボーダー処理部材が該境界面に近接して敷設される第２のステップと、ボーダーパネルが、前記基本パネルの周縁に位置する支持部と前記ボーダー処理部材との間に架橋され、前記ボーダーパネルと前記支持部との係合が前記基本パネルと係合した構造でなされ、該ボーダーパネルと該ボーダー処理部材との係合が該基本パネルの周縁から該境界面へ向かう方向へなされ、前記ボーダーパネルの側面と該ボーダー処理部材との係合により、前記ボーダーパネルが、前記ボーダー処理部材の上面の任意位置に連続的に調整可能に、少なくともその一部分が支持面積となるように係合支持されることにより敷設される第３のステップと、を有することを特徴とする。
【００１９】
また、本発明のボーダーシステムは、所定間隔で床面に敷設される複数の支持部と、前記支持部に支持され敷設される基本パネルと、前記敷設された基本パネルの周縁と所定の境界面との間の残余空間に、該境界面に近接して敷設されるボーダー処理部材と、前記基本パネルと前記ボーダー処理部材との間に敷設されるボーダーパネルと、を備え、前記ボーダー処理部材と前記ボーダーパネルは、敷設時に該ボーダーパネルの少なくとも１辺側が該ボーダー処理部材上面の少なくとも一部分の調整可能な任意面積で係合支持されるように形成され、該任意面積が所定の支持面積となるように敷設されると共に、該ボーダー処理部材の幅が該残余空間に応じて該所定の支持面積以上となる様な所定幅に設定されることを特徴とする。
【００２０】
また、本発明のボーダーシステムは、床面に配置された複数の支持部と、該支持部上に載置される基本パネルと、からなるパネルユニットと、前記パネルユニットと所定の境界面との間の残余空間に該境界面近傍に位置して敷設され、該境界面方向に延在して形成された係合部を備えると共に、該残余空間の幅より狭い所定幅のボーダー処理部材と、一端側が該パネルユニットに、他端側が該ボーダー処理部材に、それぞれ係合支持されて敷設されるボーダーパネルと、を有し、前記ボーダーパネルの他端側が前記係合部に係合され、該ボーダーパネルが、該ボーダー処理部材上面の少なくとも一部分の任意位置であって、調整可能に設定された所定の支持面積で支持されて敷設されることを特徴とする。
【００２１】
また、本発明のボーダーシステムは、配線経路が形成されるように床面に配置された複数の支持部と、該支持部上に支持され敷設される基本パネルと、前記敷設された該基本パネルと所定の境界面との間の残余空間に該境界面近傍に位置して敷設され、所定の係合部が設けられていると共に、該残余空間に応じて所定のマット幅に設定されているボーダー処理部材と、一端側が前記支持部に、他端側が前記係合部によりそれぞれ係合支持されて敷設され、所定のパネル幅に設定されたボーダーパネルと、を有し、前記ボーダーパネルは、前記残余空間に応じて設定された前記ボーダー処理部材のマット幅と予め設定された該ボーダーパネルのパネル幅とに基づいて、該ボーダー処理部材上面の少なくとも一部分に該境界面方向の任意位置に連続的に調整可能に載置され、所定の載置幅として載置幅＝所定のパネル幅＋所定幅−残余空間の幅を満足するように設定され、該ボーダーパネルの敷設がなされることを特徴とする。
【００２２】
また、本発明のボーダーシステムの施工方法は、複数の支持部を所定間隔で床面に敷設すると共に、所定の基本パネルを該支持部に係合して載置し、該基本パネルを敷設する第１のステップと、敷設された該基本パネルの周縁と所定の境界面との間の残余空間に、ボーダーパネルの所定のパネル幅に基づいて、該ボーダーパネルが所定の載置幅で支持されるように、該残余空間より狭い所定の幅に設定されたボーダー処理部材を境界面に近接して敷設する第２のステップと、該ボーダーパネルを、その周縁に位置する支持部と、該ボーダー処理部材とに係合して、該ボーダー処理部材上面の少なくとも一部分に該境界面方向の任意位置に調整可能に載置し、該ボーダーパネルの所定の載置幅を所定のパネル幅＋所定幅−残余空間となる様に設定して該ボーダーパネルを敷設する第３のステップと、を有することを特徴とする。
【００２３】
また、本発明のボーダーシステムの施工方法は、複数の支持部を配線経路が形成されるように所定の間隔で床面に敷設すると共に、所定の基本パネルを該支持部に係合載置して敷設し、該基本パネルの敷設により、該基本パネルの周縁と所定の境界面との間に残余空間を形成する第１のステップと、所定のボーダーパネルの所定パネル幅に基づいて、該ボーダーパネルが所定載置幅で支持されるように、該残余空間より幅の狭い所定の幅のボーダー処理部材を設定する第２のステップと、前記残余空間内に、前記所定の幅に設定したボーダー処理部材を境界面に近接して敷設する第３ステップと、前記ボーダーパネルの支持部係合部を有する一端側を、該支持部係合部を前記基本パネルの周縁の支持部に係合して該支持部に載置すると共に、前記ボーダーパネルの支持部係合部を有しない他端側を、前記ボーダー処理部材上面に、前記境界面方向の任意位置に調整可能に係合して載置する第４のステップと、を有し、所定載置幅が所定のパネル幅＋所定幅−残余空間となるように設定された前記ボーダーパネルを、前記基本パネルの支持部とボーダー処理部材との間に架橋設置することを特徴とする。
【００２４】
また、本発明のボーダーシステムは、所定間隔で床面に敷設され所定のパネル係合部を有する複数の支持部と、前記パネル係合部に係合する側面に形成された支持部係合部を有し、前記支持部上に支持され敷設される基本パネルと、所定の境界面近傍に敷設されるボーダー処理部材と、前記基本パネルの略周縁に位置する支持部と該ボーダー処理部材とに架橋設置され、該支持部と前記境界面との間の残余空間を覆うボーダーパネルと、を備え、前記ボーダー処理部材は、前記残余空間の幅よりも狭い所定幅に形成され、前記ボーダーパネルは、前記架橋される支持部側の一辺の側面両隅に前記基本パネルの支持部係合部と共通する支持部係合部を有し、且つ該一辺と対向する境界面側の一辺が支持部係合部を有しない開放状態に形成され、前記残余空間に応じて設置位置を調整されて、前記ボーダー処理部材上面の少なくとも一部分の任意面積で係合支持されることを特徴とする。
【００２５】
また、本発明のボーダーシステムの施工方法は、複数の支持部を所定間隔で床面に敷設し、基本パネルを該支持部に係合載置して敷設する第１のステップと、上面にボーダーシートが設けられ脚体が連結されたボーダー処理部材を、該脚体連結箇所のうち所要の連結箇所で切断し、敷設した基本パネルの周縁と境界面との間の残余空間より幅が狭いボーダー処理部材を形成する第２のステップと、前記残余空間より幅が狭いボーダー処理部材を、境界面に近接して且つ該ボーダー処理部材の連結箇所が前記基本パネルの側面と対応する位置になるようにして、前記残余空間に敷設する第３のステップと、前記残余空間に敷設したボーダー処理部材のボーダーシートを、ボーダーパネルの載置箇所で載置幅に相当する分だけ除去する第４のステップと、３辺に下向きの側面が形成され１辺を開放状態とされている前記ボーダーパネルを、該１辺の開放側を境界面に向けて前記ボーダー処理部材の前記ボーダーシートの除去部分に載置し、且つ対向する２辺側面をそれぞれ前記敷設したボーダー処理部材の連結箇所に係合して、前記支持部と該ボーダー処理部材との間に架橋設置し、前記基本パネルとボーダーパネルとボーダーシートの上面を平らにする第５のステップと、を有することを特徴とする。
【００２６】
【作用】
本発明に係るボーダーシステムでは、配線経路を形成するように、所定間隔で複数の支持部が床面に敷設され、基本パネルが該支持部に載置されて敷設され、パネルユニットを構成する。敷設されたパネルユニットと所定の境界面との間には残余空間が形成され、この残余空間にボーダー処理部材としてのボーダーマットが前記境界面に近接して敷設される。そして、ボーダーパネルが前記基本パネルユニットとボーダーマットとの間に敷設されるが、少なくともボーダーパネルの一辺側がボーダーマット上面の少なくとも一部分の任意面積で係合支持されるように形成されている。
【００２７】
ボーダーパネルとボーダーマットの係合は、基本パネルの周縁から該境界面へ向かう方向になされて所定の載置幅でボーダーパネルが載置され、ボーダーマット上面の任意位置に敷設される。前記係合による任意位置は、その境界面へ向かう方向に調整自在であり、載置幅を微調整して適切な任意位置にボーダーパネルを載置することが可能で、施工性も向上される。
【００２８】
ボーダーパネルの敷設に際しては、前記ボーダーマットのマット幅を、残余空間の幅に応じて、ボーダーマット上面の支持面積が少なくとも所定の載置幅による所定の支持面積以上となるように、所定幅に適宜設定する。これにより、必要且つ十分なボーダーパネルを使用でき、低コスト化を図ることができる。
【００２９】
また、ボーダーマットにボーダーパネルの一辺側を係合するための係合部を設ける場合、ボーダーマットの敷設状態で前記係合部を境界面へ向かう方向に延在するように形成することにより、所定の支持面積となる所定の載置幅を、載置幅＝所定のパネル幅＋所定のマット幅−残余空間の幅を満足するように調整して自在に設定することが可能で、容易にボーダーパネルを敷設施工することができる。前記所定の載置幅により、境界面に隣接してボーダーマットを敷設する適切なボーダー処理が可能である。
【００３０】
上記のようにボーダーパネル、ボーダーマットの簡単な係合構造により、ボーダーパネルの所定のパネル幅の範囲内で、ボーダーマットの所定のマット幅の設定と相まって、微調整自在にこれらボーダー処理を行うことができる。
【００３１】
【発明の実施の形態】
以下、本発明のボーダーシステム及びその施工方法について図に於ける具体的な実施形態に基づいて説明する。図１は本発明のボーダーシステムの第一実施形態を示す斜視図、図２はそのボーダーシステムを示す側面図、図３は第一実施形態のボーダーシステムに於けるボーダーマットの斜視図である。
【００３２】
図１乃至図３に於けるボーダーシステムは、所定間隔毎で床面１００に敷設されている複数の支持部１０と、支持部１０に係合して載置されることで支持部１０で支持される基本パネル２０と、敷設された基本パネル２０群の周縁となる側面２０ｂと所定の壁際や柱回りなどの境界面１１０との間の幅Ｗの残余空間に敷設されるボーダー処理部材としてのボーダーマット３０と、支持部１０及びボーダーマット３０に係合して載置されることで支持部１０及びボーダーマット３０で支持されるボーダーパネル４０とが設けられている。なお残余空間の幅Ｗは前記周縁に位置する支持部１０の中心から境界面１１０までの寸法である。
【００３３】
支持部１０には基台１１ａ上に脚部１１ｂが立設し、脚部１１ｂ上に板状のパネル係合部１１ｃが形成されている。支持部１０のパネル係合部１１ｃは、後述するように、基本パネル２０の支持部係合部２０ｃとボーダーパネル４０の支持部係合部４０ｃの両者に対応する共通した係合構造になっており、係合された基本パネル２０或いはボーダーパネル４０は支持部１０で支持される。
【００３４】
フロアパネルなど基本パネル２０はパネル幅Ａの略正方形で、略正方形の上面２０ａの四辺には下向きに側面２０ｂが形成され、四隅に於ける側面２０ｂ・２０ｂ相互の突合部分には支持部係合部２０ｃが切り欠かれて形成されており、支持部１０のパネル係合部１１ｃの上面から側縁にかけて支持部係合部２０ｃが係合され、基本パネル２０が支持部１０に載置される。支持部１０に着脱可能に係合支持された基本パネル２０は確実に固定され、床面１００と基本パネル２０間及び支持部１０間に所定の空間が形成されることになり、床面１００と基本パネル２０の二重床による前記空間は配線空間等として利用される。なお敷設された支持部１０群への各基本パネル２０の係合は、基本パネル２０の少なくとも２辺で行われるようにする。
【００３５】
基本パネル２０の形状は、一辺の寸法をＡとして各辺を有する略多角形状や円形等の板状に形成してもよく、成形加工や折曲加工等で断面略Ｌ字形に４辺の側面２０ｂを加工する等で形成してもよい。そして、基本パネル２０の四隅部分に加工された支持部係合部２０ｃを支持部１０のパネル係合部１１ｃに係合して確実に位置決め固定し、支持部１０が基本パネル２０を支持する状態で多数平面的に敷設された基本パネル２０が二重床面となる。
【００３６】
ボーダーマット３０は複数の支持体としての脚体３１が上端で相互に連結されて３行３列など複数行列の一ブロックが形成され、各ブロック相互は図１及び図３に示すように略上端に設けられた連結部３２で相互に連結されており、ブロック相互は連結部３２で切断等することで分離可能である。前記脚体３１は中空の直方体で下面が開放し、脚体３１の下部には配線を配設可能な配線孔３１ａが四箇所形成され、脚体３１・３１の上端連結部分には相互に分離可能とする切断溝３１ｂが形成されている。また図３に示すように、ボーダーマット３０（ブロック）の上面は全体として略平面であって、各ブロックはマット幅Ｂ若しくはＢ’若しくはＢ”の略正方形である。
【００３７】
ボーダーマット３０は、床面１００に支持部１０及び基本パネル２０を敷設した敷設面積等によって生ずる残余空間に応じ、脚体３１が一列若しくは分離された複数列若しくは連結された複数列の状態で、又は一ブロック体若しくは分離した複数ブロック体若しくは連結された複数ブロック体の状態で、又は単数若しくは複数の状態で、又は前記状態の組み合わせの状態で敷設される。図１、図２に示すように、幅Ｗの残余空間に施工された本実施形態のボーダーマット３０は境界面１１０に沿って近接して配設されている。
【００３８】
ボーダーマット３０のサイズ及び形状は基本パネル２０やボーダーパネル４０に対応して形成され、敷設したボーダーマット３０は基本パネル２０の方向或いは境界面１１０の方向へ設置移動可能であると共に、後述するボーダーパネル４０が係合する構造である。例えばボーダーマット３０のサイズは境界面１１０に沿う方向で一辺の寸法Ａの基本パネル２０等の整数倍に設定し、基本パネル２０の寸法Ａに対応してボーダーマット３０にはＡ寸法毎に連結部３２を設け、上面に形成された連結部３２等による凹部若しくは切込による嵌合構造やブロックの側部等に係合する一辺が寸法Ａのボーダーパネル４０を係合可能とする。
【００３９】
本実施形態に於けるボーダーマット３０のブロックは３行３列であるが、ボーダー処理の必要に応じて３行４列、４行４列、１列など所定のボーダーマット３０を予め準備して用いる或いは施工時に切断して所要の行列のものを用いることができ、又ボーダーマット３０の側面等にボーダーパネル４０を係合するための係合部或いは嵌合部を設けて係合或いは嵌合するようにしてもよい。またボーダーマット３０の支持体としての脚体３１にはブロック状や支持脚状のもの等を採用し、これを連結するようにしてもよい。なおボーダーマット３０は本発明の趣旨の範囲内でボーダー処理を行うことができる部材であれば適宜であり、脚体３１を設けないもの等であってもよい。
【００４０】
ここでボーダーマットの変形例について説明する。図４に示すボーダーマット３０は、支持体としての各脚体３１には一方向に貫通する２箇所の配線孔３１ａが形成され、脚体３１が略上端で３行３列に連結されて幅Ｂの略正方形のものを一ブロックとし、前記連結部分には切断溝３１ｂが形成されている。各ユニット相互はさらに脚体３１の略上部に位置する連結部３２で連結されており、連結部３２で切断することによって分離可能である。分離後には切断後の連結部３２と脚体３１の側面はボーダーパネル４０の側面４０ｂが係合する係合部３３となる。脚体３１の上面にはボーダーシート５０が敷設或いは貼設されている。
【００４１】
ボーダーパネル４０は図１、図２に示すように、支持部１０とボーダーマット３０間に架橋され、両者間の間隙Ｓを覆うものであり、基本パネル２０と略同一形状に形成されているパネル幅Ａの略正方形である。ボーダーパネル４０は方形の上面４０ａを有し、上面４０ａの基本パネル２０側及び側方の三辺には下向きに側面４０ｂが形成されており、基本パネル２０側の一辺の二隅に於ける側面４０ｂ・４０ｂ相互の突合部分には基本パネル２０の支持部係合部２０ｃと共通する支持部係合部４０ｃが切り欠かれて形成され、前記一辺に対向する境界面１１０側の一辺は側面４０ｂ及び支持部係合部４０ｃを有しない開放状態に形成され、図示例の場合、基本パネル２０と共通する係合構造は形成されていない。
【００４２】
即ち、ボーダーパネル４０のボーダーマット３０への係合構造は、ボーダーマット３０の側方の係合部分、又はボーダーマット３０の上面所定位置に形成された切込部若しくは凹部などの係合部分に、側面４０ｂなど略レール状の係合部が係合或いは嵌合するようになっている。前記係合構造では施工の際にボーダーパネル４０の側面４０ｂをボーダーマット３０に係合しながらボーダーパネル４０の上面４０ａをボーダーマット３０上に載置し、ボーダーマット３０へのボーダーパネル４０の載置幅Ｘを相対的に変更可能である。そして、基本パネル２０の周縁の側面２０ｂ或いは境界面１１０に対して略垂直方向に係合するので、ボーダーパネル４０はその設置位置を可動的に設定できると共に、残余空間や間隙Ｓに応じてボーダーパネル４０やボーダーマット３０の設置位置等が調整可能である。
【００４３】
この場合にボーダーパネル４０の支持部係合部４０ｃは基本パネル２０群の周縁に位置する支持部１０のパネル係合部１１ｃに係合し、その側面４０ｂはボーダーマット３０の側方に係合して、支持部１０とボーダーマット３０間で架橋載置されたボーダーパネル４０が支持部１０及びボーダーマット３０で所定の支持面積により支持されている。従って、基本パネル２０及びボーダーパネル４０の係合にあたって、支持部１０のパネル係合部１０ｃは共有して利用されている。
【００４４】
そして、ボーダーマット３０とボーダーパネル４０との係合は敷設された基本パネル２０群の周縁となる側面２０ｂに対し垂直方向になされ、ボーダーパネル４０のボーダーマット３０上面への載置幅Ｘは任意位置により調整して設定可能となるので、ボーダーマット３０上面の任意の支持面積でボーダーパネル４０を支持することができる。本実施形態のボーダーパネル４０の敷設に際するボーダーパネル４０とボーダーマット３０との重なり量（載置幅Ｘ）は、図１、図２に示すように載置幅Ｘ＝ボーダーパネル幅Ａ＋ボーダーマット幅Ｂ−残余空間幅Ｗを充足する様に設定したが、載置幅Ｘは可変的なので自在に調整して設定することが可能である。
【００４５】
なお、前記載置幅Ｘの支持面積は、基本パネル２０やボーダーパネル４０を支持部１０へ載置する際の強度とほぼ同程度の所要強度等となるように設定すると好適であり、例えばボーダーパネル４０の支持面積を、支持部１０のボーダーパネル４０に対する支持面積以上とする、若しくはボーダーマット３０面で少なくとも１５ｍｍ以上の載置幅Ｘを確保するように設定すると好適である。
【００４６】
ボーダーマット３０は幅Ｗの残余空間に応じ、ボーダーパネル４０のボーダーマット３０に対する所定の載置幅Ｘが確保できるように所定の大きさや形状或いは複数列で敷設され、前記敷設により周縁に位置する支持部１０の中心とボーダーマット３０の境界面１１０側とは反対側の側面間に間隙Ｓが形成される。そして、間隙Ｓを覆うようにボーダーパネル４０が架橋され、基本パネル２０側の一辺側は支持部１０のパネル係合部１１ｃに係合され、ボーダーマット３０側の一辺側に於いて上面４０ａ及び側面４０ｂはボーダーマット３０に載置幅Ｘで係合され、ボーダーパネル４０は係合支持される。
【００４７】
ボーダーパネル４０がボーダーマット３０に載置されている部分以外のボーダーマット３０の上面には、必要に応じて高さ調整用で切断可能なボーダーシート５０が敷設或いは貼設され、基本パネル２０、ボーダーパネル４０及びボーダーシート５０は略面一に形成されている。
【００４８】
なお支持部１０、基本パネル２０、ボーダーマット３０、ボーダーパネル４０、ボーダーシート５０の形状を長方形などの略多角形等とする、或いはその大きさを変更する等は本発明の趣旨の範囲内で適宜である。また支持部１０と基本パネル２０若しくはボーダーパネル４０、又はボーダーマット３０とボーダーパネル４０の係合構造は上記実施形態に限定されるものではなく、例えば基本パネル２０が支持部１０上に係合固定されるものであればよく、種々の加工等によって断面略Ｌ字状又は側面部に形成せず平板状にしても良いし、本発明の趣旨の範囲内で適宜である。
【００４９】
上記ボーダーシステムでは、基本パネル２０とボーダーパネル４０との形状やボーダーパネル４０とボーダーマット３０の係合構造に共通性を持たせ、ボーダーマット３０を所要列に切断して調整可能なものとし、支持部１０、基本パネル２０、ボーダーマット３０、ボーダーパネル４０を所定サイズに規格化し、さらにはボーダーパネル４０のボーダーマット３０上の載置幅Ｘが任意に調整可能なものとすることにより、基本パネル２０の敷設後の残余空間に応じて適切なボーダー処理を容易な施工で行うことができる。
【００５０】
次に本発明のボーダーシステムの第二実施形態について説明する。図５は第二実施形態のボーダーシステムを示す側面図である。
【００５１】
図５に於けるボーダーシステムでは、支持部１０、基本パネル２０、ボーダーマット３０、ボーダーパネル４０、ボーダーシート５０の主要構造は第一実施形態と同様であるが、基本パネル２０の支持部係合部２０ｃとボーダーパネル４０の支持部係合部４０ｃは段差状に形成され、ボーダーマット３０には４列に並設されたのものが用いられている。
【００５２】
また支持部１０は中空で底面が開放した四角柱であって、側面１２ｂの略中央近傍部分には上面１２ａから各側面１２ｂにかけて所定の開口或いはスリット１２ｃが形成されており、基本パネル２０及びボーダーパネル４０を支持部１０の上面１２ａ上に載置する場合には、基本パネル２０の支持部係合部２０ｃと必要に応じて側面２０ｂ端部をスリット１２ｃに嵌合すると共に、ボーダーパネル４０の支持部係合部４０ｃと必要に応じて側面４０ｂ端部をスリット１２ｃに嵌合する。この際に基本パネル２０・２０の側面２０ｂ・２０ｂ相互、及び基本パネル２０の側面２０ｂとボーダーパネル４０の側面４０ｂ相互は隣接して配置され、支持部１０には基本パネル２０が係合されると共にボーダーパネル４０が係合される共通した係合支持構造になっている。
【００５３】
次に本発明のボーダーシステムの好適な施工方法例について説明する。図６は第三実施形態のボーダーシステムに於ける支持部と基本パネルとの設置状態を示す平面図、図７はそのボーダーマットの設置状態を示す平面図、図８（ａ）はボーダーシートを切断する状況を示す側面図、同図（ｂ）はボーダーパネルを設置する状況を示す側面図、図９は直線部分又はコーナー部分のボーダーパネルの敷設状態を示す平面図、図１０は入隅コーナー部分又は出隅コーナー部分に於けるボーダー処理状態を示す平面図、図１１は一列、二列又は四列のボーダーマットを敷設してボーダーパネルを架橋する施工例を示す側面図である。
【００５４】
図６乃至図１１に於ける第三実施形態のボーダーシステムに於いて、その基本パネル２０及びボーダーパネル４０は第一実施形態の基本パネル２０及びボーダーパネル４０と同一である。また支持部１０は第二実施形態の支持部１０と略同一であって、各支持部１０は中空で底面が開放した四角柱で、側面１２ｂの中央には上面１２ａから各側面１２ｂにかけて所定の開口若しくは切込若しくはスリット１２ｃが形成され、対角線に位置する各支持部１０・１０相互が対角線方向に伸びる薄肉連結部１４を介して連結され、支持部１０が全体として一体化されている。またボーダーマット３０は図４に示すボーダーマット３０と略同一で、適宜必要に応じた複数行列の脚体３１が並設されたものであり、初期状態の複数行列であるボーダーマット３０を切断して或いは追加して設けられる。
【００５５】
先ず本実施形態のボーダーシステムを施工する際には、支持脚或いは支持部１０の敷設及びフロアパネルとなる基本パネル２０の敷設を行う。これは図６に示すように、最初に通常一般的に行われている床面１００に対するパネル敷設の基準墨出しが行われ、この基準墨出し線に合わせて複数の支持部１０が所定間隔毎に敷設される。支持部１０の敷設の際には、その構造に応じた施工作業を行うことにより、例えば薄肉連結部１４同士を接続しながら、複数の支持部１０を並設して敷き込んでいく。
【００５６】
そして、支持部１０の敷き込み後、又は支持部１０の敷き込みに合わせて基本パネル２０を敷き込む。基本パネル２０の敷設の際には、基本パネル２０の四隅に形成された切欠状の支持部係合部２０ｃや側面２０ｂ端部が支持部１０の上面１２ａやスリット１２ｃに係合若しくは嵌合し、基本パネル２０は支持部１０に係合状態で載置され、支持部１０に着脱可能に位置決め固定された基本パネル２０は支持部１０上に確実に設置される。基本パネル２０を多数連続的に敷設され、基本パネル２０と床面１００間に配線空間等の空間が形成された二重床が構築される。
【００５７】
支持部１０及び基本パネル２０の敷設後には、通常は壁際や柱回り等の近傍で基本パネル２０の周縁となる側面２０ｂと境界面１１０との間に、図６に示すような幅Ｗ１や幅Ｗ２の残余空間が形成されることから、前記残余空間に基本パネル２０の上面に合わせて略面一にするために二重床面を構築するボーダー処理を行う。ボーダー処理では例えば図６に示すようなボーダーシート５０が上面に貼設されたボーダーマット３０を残余空間に敷設する。
【００５８】
ボーダーマット３０を敷設する場合、図７に示すように、壁際や柱回り、出入口回りを基準にし、これらに突き当てながら複数のボーダーマット３０を順次敷設していく。ボーダーマット３０はＷ１やＷ２等の残余空間の寸法に応じ、ボーダーパネル４０をボーダーマット３０と基本パネル２０の支持部１０間に架橋して敷設できるように、脚体３１の所要の複数行列を敷設する。この際、施工コスト等の観点からボーダーマット３０の脚体３１は可能な限り少ない面積となる様に用いることが望ましいが、ボーダーマット３０上にボーダーパネル４０を敷設する構造に所要強度を確保するため、所定の載置幅Ｘ或いは支持面積が確保することが望ましく、例えば本実施形態の載置幅Ｘは少なくとも１０〜１５ｍｍ以上に設定している。
【００５９】
ボーダーマット３０の脚体３１の複数行列を敷設する場合にボーダーマット３０の設置調整を行う必要があるが、これには残余空間の寸法Ｗ１やＷ２等に応じ、図１１に示すように、切断溝３１ｂで切断することにより脚体３１単位や脚体３１の列単位等で分割し、或いは１個若しくは一列若しくは複数列の脚体３１を追加補充して設置することが可能である。図１１に示す実施形態では、ボーダーマット３０が少なくとも一列（図１１（ａ））敷設されている場合から最大四列（図１１（ｃ））敷設されている場合までが示され、残余空間に応じ、ボーダーパネル４０の敷設幅或いは敷設面積の範囲内でボーダーパネル４０の載置幅Ｘ或いは所定の支持面積を設定することができる。
【００６０】
後述するようにボーダーマット３０にはボーダーパネル４０が係合されることになるが、ボーダーパネル４０の架設に於いて、ボーダーパネル４０とボーダーマット３０の係合は基本パネル２０の周縁の側面２０ｂに対し垂直方向になされるので、ボーダーパネル４０はボーダーマット３０との係合状態を維持しながら、必要に応じて前記垂直方向へスライド或いは可動させることができ、位置調整が自在である。従って、支持部１０とボーダーマット３０間の寸法Ｓの間隙も最小から最大まで自在に調整できる。
【００６１】
そして、ボーダーマット３０の敷設により、基本パネル２０群の周縁に位置する支持部１０中心と前記支持部１０方向のボーダーマット３０の側面間に寸法Ｓの間隙が形成されるが、前記間隙を覆うためにボーダーパネル４０を施工して敷設する。
【００６２】
本実施形態ではボーダーパネル４０の敷設に当たってボーダーパネル４０を敷設するための準備が必要であり、図８に示すようにボーダーパネル４０の敷き込み前に、ボーダーマット３０上に貼設されているボーダーシート５０を、敷設するボーダーパネル４０の載置幅などの寸法に合わせて所定の寸法に切断する。ボーダーシート５０の切断はボーダーシート５０上面とボーダーパネル４０の上面４０ａと基本パネル２０の上面２０ａとを段差なく平らにするもので、ボーダーシート５０の所定幅を例えばボーダーパネル幅と同じサイズの切断治具６０等を用いて切断工具で切断する。前記切断量は壁際や柱回り側に敷設されたボーダーマット３０とボーダーパネル４０の一方に位置する一辺側の載置幅Ｘに相当する量である。前記切断後にはボーダーシート５０の除去部分に必要に応じて粘着材等を塗布し、ボーダーパネル４０の設置準備が完了する。
【００６３】
その後にボーダーパネル４０を敷設する。ボーダーパネル４０の敷設に当たっては図８及び図９に示すように、ボーダーパネル４０の開放端側を境界面１１０の方向に向け、支持部１０方向の一辺にある側面４０ｂや支持部係合部４０ｃを支持部１０のスリット１２ｃや上面１２ａに係合し、境界面１１０方向の上面４０ａをボーダーシート５０を除去した粘着材塗布部分のボーダーマット３０の上面に載置すると共に側面４０ｂをボーダーマット３０の側方若しくは切込若しくは係合部等に係合し、ボーダーパネル４０を支持部１０とボーダーマット５０との間に架橋して設置する。
【００６４】
ボーダーパネル４０を敷設していくと、敷設面積の四隅部分や角部分には、図９（ｂ）及び図１０（ａ）、（ｂ）に示すように、出隅コーナー部分の残余空間や入隅コーナー部分の残余空間が生ずるため、これらの出隅コーナー部分や入隅コーナー部分の残余空間の処理を行う。
【００６５】
入隅コーナー部分では、図９（ｂ）及び図１０（ｂ）に示すように、必要に応じて支持部１０の突出した部分を切断して除去し、入隅コーナー部分の残余空間に対応した形状・サイズ等のボーダーマット３０を予め準備し或いは切断して作成すること等により準備し、ボーダーマット３０を入隅コーナー部分の残余空間に合わせて敷設する。また出隅コーナー部分では、図１０（ａ）に示すように、必要に応じて支持部１０の突出した部分を切断して除去し、出隅コーナー部分の残余空間に対応した形状・サイズ等のボーダーマット３０を予め準備し或いは切断して作成すること等により準備し、ボーダーマット３０を出隅コーナー部分の残余空間に合わせて敷設する。
【００６６】
なお入隅コーナー部分や出隅コーナー部分に切断等して作成したボーダーマット３０を敷設する場合、前記敷設をしても微小な残余間隙が形成されることがあるが、この場合には図１０に示すように残余間隙の大きさやサイズに応じ、残余間隙を埋めることができる他のボーダーマット３０ａやボーダー部材を敷設し、ボーダー処理を行う。
【００６７】
上記実施形態では支持体１０が一体型或いは分離型で基本パネル２０を敷設するボーダーシステムについて説明したが、次に他の実施形態として、図１２に示す配線経路を形成するように基本パネル２０を敷設するボーダーシステムについて説明する。図１２は第四実施形態のボーダーシステムを示す平面図、図１３（ａ）は図１２のＡ−Ａ線縦断面図、同図（ｂ）は図１２のＢ−Ｂ線縦断面図である。
【００６８】
図１２及び図１３に於ける支持部１０は、上記第二及び第三実施形態のボーダーマット３０に類似の形状で、複数のブロック体１３ａが並設されたものであって、各ブロック体１３ａは上端等で相互に連結され、前記連結部分や側方等にはスリットなどの係合部１３ｂが形成され、前記係合部１３ｂには基本パネル２０の側面２０ｂ等が係合される。各支持部１０は所定位置に配設され、支持部１０・１０間に所定の配線経路７０或いは配線溝が形成されている。
【００６９】
基本パネル２０は略多角形など所定形状で所定サイズに形成されるが、本実施形態ではパネル幅Ａの略正方形である。基本パネル２０の側面２０ｂは係合部１３ｂに係合されると共に、上面２０ａを支持部１０に支持され、基本パネル２０は支持部１０に係合されながら隣接して或いは所定間隔を開けて複数敷設される。この際に複数の支持部１０の敷設によって形成された所定の配線経路７０上に配線パネルとなる基本パネル２０が架設され、基本パネル２０が配線経路７０を覆う。なお本実施形態に於ける支持部１０の一部分は基本パネル２０と略同一平面になっており、基本パネル２０は配線パネルとして配線経路７０上にだけ設けられている。
【００７０】
支持部１０及び基本パネル２０の敷設で壁際や柱回り側に形成された残余空間には、所定のマット幅Ｂ１の第一のボーダーマット３０ｂと所定のマット幅Ｂ２の第二のボーダーマット３０ｃが残余空間の幅Ｗに応じて敷設され、第一のボーダーマット３０ｂは境界面１１０に隣接して敷設されていると共に、第二のボーダーマット３０ｃは周縁に位置する支持部１０の側面に隣接して敷設されている。
【００７１】
図１３（ａ）の場合、第一のボーダーマット３０ｂにはボーダーパネル４０の開放側の上面４０ａ及び側面４０ｂを係合する係合部が形成され、第二のボーダーマット３０ｃにはボーダーパネル４０の開放していない側の上面４０ａ及び側面４０ｂ及び支持部係合部４０ｃを係合する係合部が形成されており、第一のボーダーマット３０ｂにはボーダーパネル４０の境界面１１０方向の一辺側が係合され、第二のボーダーマット３０ｃにはボーダーパネル４０の基本パネル２０方向の一辺側が係合される。図１３（ｂ）の場合は逆に第一のボーダーマット３０ｂに形成されている係合部にはボーダーパネル４０の開放していない側の上面４０ａ及び側面４０ｂ及び支持部係合部４０ｃが係合され、第二のボーダーマット３０ｃに形成されている係合部にはボーダーパネル４０の開放側の上面４０ａ及び側面４０ｂを係合される。
【００７２】
ボーダーパネル４０は、基本パネル２０の略多角形など所定形状や所定サイズに対応して形成されるが、本実施形態ではパネル幅Ａの略正方形に形成されている。ボーダーパネル４０は、図１３（ａ）、同図（ｂ）に示すように、第一のボーダーマット３０ｂと第二のボーダーマット３０ｃの２つに両端をそれぞれ係合して架設され、第一のボーダーマット３０ｂ或いは第二のボーダーマット３０ｃにより所定の載置幅Ｘで支持される。
【００７３】
前記載置幅Ｘに関し、図１３（ａ）の場合で第一のボーダーマット３０ｂ上面の載置幅Ｘ＝Ｘ１は、載置幅Ｘ１＝パネル幅Ａ＋マット幅Ｂ１−残余空間の幅Ｗの条件を満足するものであり、図１３（ｂ）の場合で第二のボーダーマット３０ｃ上面の載置幅Ｘ＝Ｘ２は、載置幅Ｘ２＝パネル幅Ａ＋マット幅Ｂ２−残余空間の幅Ｗのを満足する。載置幅Ｘ１は壁際や柱回りの境界面１１０側に敷設されたボーダーマット３０ｂのボーダーパネル４０の重なり量であり、載置幅Ｘ２は基本パネル２０側に敷設されたボーダーマット３０ｃのボーダーパネル４０の重なり量である。
【００７４】
上記のように本発明に係るボーダーシステムの特徴として、床面１００に敷設される複数の支持部１０と、この支持部１０上に載置される基本パネル２０と、これにより柱回り・壁際等の境界面１１０側に形成された幅Ｗの残余空間に敷設されるボーダーマット３０と、その基本パネル２０からボーダーマット３０間に係合され支持されるボーダーパネル４０とから成り、特にボーダーパネル４０の係合が基本パネル２０周縁の側面２０ｂに対し略垂直方向に任意位置に調整可能になされ、ボーダーパネル４０の載置はボーダーマット３０上面の少なくとも一部分の任意面積で調整可能になされ、所定の載置幅Ｘによる支持面積でボーダーパネル４０は支持される。
【００７５】
さらにはボーダーマット３０のマット幅Ｂは、幅Ｗの残余空間に応じ、その支持面積の載置幅Ｘを所定幅以上確保できるように設定する。
【００７６】
また、ボーダーパネル４０は、その開放端側が境界面１１０に対して略垂直方向に延在して形成されたボーダーマット３０の連結部３２に係合され、ボーダーマット３０上面の少なくとも一部分の支持面積は、前記係合によって前記略垂直方向にボーダーパネル４０の載置位置を調整することにより任意面積に調整することが可能であり、ボーダーパネル４０は所定の載置幅Ｘによる支持面積で係合支持される。
【００７７】
また、ボーダーパネル４０の支持面積をなす所定の載置幅Ｘは、幅Ｗの残余空間に応じて設定されたマット幅Ｂと、予め設定されたパネル幅Ａに基づいて、載置幅Ｘ＝パネル幅Ａ＋マット幅Ｂ−残余空間の幅Ｗを満足するように設定され、ボーダーパネル４０はボーダーマット３０上面の少なくとも一部分が支持面積となるように、任意位置へ連続的に調整可能に係合支持され、前記任意位置の調整は境界面１１０に対して略垂直方向になされる。
【００７８】
そして、本発明に係るボーダーシステムの上述した実施形態によれば、基本パネル２０とボーダーパネル４０とを共通する形状、サイズ、構造等にすると共に、基本パネル２０及びボーダーパネル４０が支持部１０を共有する共通化・簡略化した係合構造にすることで、設計、製造を容易にすることができ、部品点数を削減することができ、容易にパネルの敷設施工を行うことができる。またボーダーマット３０を基本パネル２０及びボーダーパネル４０の形状やサイズに対応するように形成し、基本パネル２０やボーダーパネル４０の設置状態に合わせて調整して敷設することで、ボーダーマット３０に対する基本パネル２０やボーダーパネル４０の取り合いや施工作業を極めて容易に行うことができる。
【００７９】
また簡単なボーダーパネル４０の係合構造によって、ボーダーマット３０に支持されるボーダーパネル４０の載置幅Ｘ或いは支持面積を、基本パネル２０の敷設後の所定幅Ｗの残余空間に応じ、任意の幅或いは支持面積で可変的且つ微妙に調整して所望設定にすることができる。
【００８０】
またボーダーパネル４０、基本パネル２０、支持部１０の共通化、ボーダーマット３０の規格化、前記係合構造により、載置幅Ｘ或いは支持面積の調整範囲を拡大できると共に、二重床全体の強度を同一レベルで安定的に保証することが可能である。
【００８１】
また基本パネル２０とボーダーパネル４０の形状や構造等の共通化により、床面１００に敷設して二重床を形成した際に、基本パネル２０とボーダーパネル４０に同レベルの不陸追従性や吸収性を発揮させることができる。
【００８２】
またボーダーパネル４０で幅Ｗの残余空間を埋めると共に基本パネル２０とボーダーマット３０間を架橋する施工手順等によって、施工が容易となり、総合的に低コスト化を図ることができる。そして、ボーダーパネル４０のサイズよりも分割等によって形成された小さいサイズの他のボーダーパネルを適用すれば、微小残余間隙や各部の残余空間等を効率的に埋めることができる。
【００８３】
なお基本パネル２０、ボーダーマット３０、ボーダーパネル４０、ボーダーシート５０等の本発明のボーダーシステムは、組み合わせ或いはその応用例は簡単且つ安価に製造することができ、且つその施工作業は容易である。
【００８４】
【発明の効果】
本発明のボーダーシステム及びその施工方法は、ボーダーの残余空間を微調整して適切に処理することが可能であると共に、より簡単な構造であって、所定の施工手順を採用すること等で良好な施工性を有し、製造や施工の低コスト化を図ることができるという効果がある。
【図面の簡単な説明】
【図１】本発明のボーダーシステムの第一実施形態を示す斜視図。
【図２】第一実施形態のボーダーシステムを示す側面図。
【図３】第一実施形態のボーダーシステムに於けるボーダーマットの斜視図。
【図４】（ａ）ボーダーマットの変形例を示す平面図。（ｂ）ボーダーマットの変形例を示す正面図。（ｃ）ボーダーマットの変形例を示す側面図。（ｄ）ボーダーマットの変形例を示す裏面図。
【図５】第二実施形態のボーダーシステムを示す側面図。
【図６】第三実施形態のボーダーシステムに於ける支持部と基本パネルとの設置状態を示す平面図。
【図７】第三実施形態のボーダーシステムに於けるボーダーマットの設置状態を示す平面図。
【図８】（ａ）第三実施形態のボーダーシステムに於けるボーダーシートを切断する状況を示す側面図。（ｂ）第三実施形態のボーダーシステムに於けるボーダーパネルを設置する状況を示す側面図。
【図９】（ａ）第三実施形態のボーダーシステムに於ける直線部分のボーダーパネルの敷設状態を示す平面図。（ｂ）第三実施形態のボーダーシステムに於けるコーナー部分のボーダーパネルの敷設状態を示す平面図。
【図１０】（ａ）第三実施形態のボーダーシステムの入隅コーナー部分に於けるボーダー処理状態を示す平面図。（ｂ）第三実施形態のボーダーシステムの出隅コーナー部分に於けるボーダー処理状態を示す平面図。
【図１１】（ａ）第三実施形態のボーダーシステムに於いて、一列のボーダーマットを敷設してボーダーパネルを架橋する施工例を示す側面図。（ｂ）第三実施形態のボーダーシステムに於いて、二列のボーダーマットを敷設してボーダーパネルを架橋する施工例を示す側面図。（ｃ）第三実施形態のボーダーシステムに於いて、四列のボーダーマットを敷設してボーダーパネルを架橋する施工例を示す側面図。
【図１２】第四実施形態のボーダーシステムを示す平面図。
【図１３】（ａ）図１２のＡ−Ａ線縦断面図。
（ｂ）図１２のＢ−Ｂ線縦断面図。
【符号の説明】
１０ 支持部
１１ｃ パネル係合部
１２ｃ スリット
１３ｂ 係合部
２０ 基本パネル
２０ｃ 支持部係合部
３０、３０ａ、３０ｂ、３０ｃ ボーダーマット
３１ 脚体
３１ｂ 切断溝
３２ 連結部
３３ 係合部
４０ ボーダーパネル
４０ｃ 支持部係合部
５０ ボーダーシート
７０ 配線経路
１００ 床面
１１０ 境界面
Ａ パネル幅
Ｂ、Ｂ１、Ｂ２ マット幅
Ｗ、Ｗ１、Ｗ２ 残余空間幅
Ｘ、Ｘ１、Ｘ２ 載置幅